(57)【要約】      （修正有）【課題】特に、生理検出に用いられると共に多層接続可能な導電性構造であって、高周波又は超音波により溶接される多層導電性生理検出構造を提供する。【解決手段】多層導電性生理検出構造は、少なくとも一枚の導電性織物１００と、導電性弾性ファブリックテープ２００とを含む。また、導電性織物１００は、シートであり、導電性弾性ファブリックテープ２００は、ストリップ状のバンドであり、弾性のある糸と導電性ユニットとからなる。超音波や高周波による溶接手段で、導電性織物１００と導電性弾性ファブリックテープ２００とを一体に溶接接合し、さらに２枚の導電性織物１００の間に導電性弾性ファブリックテープ２００を置いて、超音波や高周波による溶接手段で一体に溶接接合してよい。ここで、導電性織物１００は、導電性ユニットと糸とで両者を混ぜて紡績してなり、導電性ユニットは、導電性糸または導電ワイヤであってよい。【選択図】図１
0003194972.tif 000002
【実用新案登録請求の範囲】
【請求項１】
シートである少なくとも一枚の導電性織物と、
ストリップ状のバンドであって、弾性を持つ糸と導電性ユニットとからなる導電性弾性ファブリックテープと、を含み、
前記導電性弾性ファブリックテープと前記導電性織物とが接続されていることを特徴とする、
多層導電性生理検出構造。
【請求項２】
前記導電性織物は、導電性単元と糸の両者を混ぜて紡績してなることを特徴とする請求項１記載の多層導電性生理検出構造。
【請求項３】
さらに、３Ｄ混紡糸導電性織物を含み、前記３Ｄ混紡糸導電性織物は、導電性糸と支持糸と紡績糸との三者を混ぜて編組され、所定の厚さを有する構造であり、前記３Ｄ混紡糸導電性織物と導電性織物とは、導電性弾性ファブリックテープを介して接続されていることを特徴とする請求項１記載の多層導電性生理検出構造。
【請求項４】
前記３Ｄ混紡糸導電性織物は、突出形状の構造であることを特徴とする請求項３記載の多層導電性生理検出構造。
【請求項５】
接着、溶接または半田付けの接続方式で形成された多層導電性生理検出構造であることを特徴とする請求項１または３記載の多層導電性生理検出構造。
【請求項６】
さらに、少なくとも２枚の導電性織物を含み、前記導電性弾性ファブリックテープがこれらの導電性織物間で結び付けて接続されていることを特徴とする請求項１記載の多層導電性生理検出構造。
【請求項７】
前記３Ｄ混紡糸導電性織物内には突出部材がさらに設けられていることを特徴とする請求項３記載の多層導電性生理検出構造。
【請求項８】
前記突出部材は凸状の構造であることを特徴とする請求項７記載の多層導電性生理検出構造。
【請求項９】
前記突出部材はフォーム、シリコンまたはウールであることを特徴とする請求項７記載の多層導電性生理検出構造。
【請求項１０】
前記糸は化学繊維、天然繊維、あるいは化学繊維と天然繊維とを混ぜて紡績してなることを特徴とする請求項１または３記載の多層導電性生理検出構造。
【請求項１１】
前記導電性織物はステンレス不織布であることを特徴とする請求項１または３記載の多層導電性生理検出構造。
【請求項１２】
前記導電性弾性ファブリックテープは、ファブリックテープの編織方法に従って形成された構造であることを特徴とする請求項１または３記載の多層導電性生理検出構造。
【請求項１３】
前記導電性弾性ファブリックテープの導電性糸は、非直線で該導電性弾性ファブリックテープを包むか、挿通するようになっていることを特徴とする請求項１または３記載の多層導電性生理検出構造。
【請求項１４】
前記導電性単元は導電糸または導電ワイヤであることを特徴とする請求項１または２記載の多層導電性生理検出構造。
【請求項１５】
前記導電性弾性ファブリックテープは、さらに、少なくとも２本の弾性糸を含み、前記弾性糸が導電性弾性ファブリックテープの両側に設けられていることを特徴とする請求項１記載の多層導電性生理検出構造。
【考案の詳細な説明】
【技術分野】
【０００１】
本考案は、生理信号を検出するために用いられる構造に関し、特に、生理検出に用いられるとともに多層接続可能な導電性構造であって、高周波または超音波により溶接される多層導電性生理検出構造に関する。
【背景技術】
【０００２】
従来技術では、生理検出装置で人体に対して生理検出を行う際に、定点検出を行うか、複数回の縫合、接着で生理検出装置を人体の皮膚に接する必要があるため、生理検出構造を快適な方式で身に携帯し常に即時に生理を検出することができない。また、生理検出装置は製造時に何度も加工しなければならず、縫合も接着にも拘らず、コスト上無駄になり手間もかかって、そのうえ安定した効果を奏することができない。
【０００３】
従来構造は部品の接続方式が複雑で、人が活動するとき、生理検出信号が中断される場合があり、人体が伸びたり延ばしたりして動作すると、生理検出信号に接続する部品までがショートまたは切れてしまい、より好適、より快適な生理検出信号の装置又は構造は、まだ提供されていない。
【考案の概要】
【考案が解決しようとする課題】
【０００４】
本考案は、生理検出に用いられるとともに多層接続可能な導電性構造であって、高周波または超音波の方法により一度で溶接接合することができ、コストが削減されるとともに導電率が向上するなど複数の長所を備える多層導電性生理検出構造を提供することを目的とする。
【課題を解決するための手段】
【０００５】
本考案に係る実施例は、少なくとも一枚の導電性織物と、導電性弾性ファブリックテープとを含み、該導電性弾性ファブリックテープは、弾性を持つ糸と導電性ユニットとからなり、該糸は導電性ユニットを包み、該導電性弾性ファブリックテープと導電性織物の両者が互いに接続されている多層導電性生理検出構造を開示している。
【０００６】
本考案に係る実施例では、その導電性織物は、導電性単元と糸とで両者を混ぜて紡績してなる。
【０００７】
本考案に係る実施例では、さらに、３Ｄ混紡糸導電性織物を含み、該３Ｄ混紡糸導電性織物は、導電性糸と支持糸と紡績糸とを三者混ぜて編組され、所定の厚さを有する構造であり、３Ｄ混紡糸導電性織物と導電性織物とは、導電性弾性ファブリックテープを介して三者が接続されている。また、３Ｄ混紡糸導電性織物は、突出形状の構造である。
【０００８】
本考案に係る実施例では、該導電性織物、導電性弾性ファブリックテープまたは３Ｄ混紡糸導電性織物は、接着、溶接または半田付けの接続方式で形成された多層導電性生理検出構造である。
【０００９】
本考案に係る実施例では、さらに、少なくとも２枚の導電性織物を含み、該導電性弾性ファブリックテープがこれらの導電性織物間で結び付けられて接続されている。
【００１０】
本考案に係る実施例では、該３Ｄ混紡糸導電性織物内には突出部材がさらに設けられている。実際の運用上は、該突出部材が凸状の構造であってよいし、フォーム、シリコンまたはウールであってもよい。
【００１１】
本考案に係る実施例では、該糸は化学繊維、天然繊維、あるいは化学繊維と天然繊維とを混ぜて紡績してなる。
【００１２】
本考案に係る実施例では、該導電性織物はステンレス不織布である。
【００１３】
本考案に係る実施例では、該導電性弾性ファブリックテープは、ファブリックテープの編織方法に従って形成された構造である。
【００１４】
本考案に係る実施例では、該導電性弾性ファブリックテープの導電性糸は、非直線で該導電性弾性ファブリックテープを包むか、挿通するようになっている。
【００１５】
本考案に係る実施例では、該導電性単元は導電繊維、導電糸または導電ワイヤである。
【００１６】
本考案に係る実施例では、該導電性弾性ファブリックテープは、さらに、少なくとも２本の弾性糸を含み、該弾性糸が導電性弾性ファブリックテープの両側に設けられている。
【００１７】
本考案に係る多層導電性生理検出構造は、高周波または超音波の方法により、該導電性織物、導電性弾性ファブリックテープまたは３Ｄ混紡糸導電性織物を溶接し、生理信号を検出するための多層導電性構造に携帯可能に利用されるので、携帯可能で、コストが削減し、多層接続及び安定性が高いなどの目的に達することができる。
【００１８】
本考案の説明及びその他の目的、特徴、利点並びに実施例をより理解し易くするために、以下の添付図面を参照する。
【図面の簡単な説明】
【００１９】
【図１】本考案に係る多層導電性生理検出構造を示す分解図である。
【図２】本考案に係る多層導電性生理検出構造を示す概念図である。
【図３Ａ】本考案に係る多層導電性生理検出構造の導電性弾性ファブリックテープを示す概念図である。
【図３Ｂ】本考案に係る多層導電性生理検出構造の導電性弾性ファブリックテープを示す部分拡大図である。
【図４】本考案に係る多層導電性生理検出構造の実施例を示す分解図である。
【図５Ａ】本考案に係る多層導電性生理検出構造の実施例を示す概念図である。
【図５Ｂ】本考案に係る多層導電性生理検出構造の実施例を示す断面図である。
【図６】本考案に係る多層導電性生理検出構造の他の実施例の図である。
【考案を実施するための形態】
【００２０】
図１及び図２は、本考案に係る多層導電性生理検出構造を示す分解図及び概念図である。図１及び図２に示すように、本考案の多層導電性生理検出構造は、少なくとも一枚の導電性織物１００と、導電性弾性ファブリックテープ２００とを含む。また、導電性織物１００は、シートであり、導電性弾性ファブリックテープ２００は、ストリップ状のバンドであり、弾性のある糸と導電性ユニットとからなる。
超音波や高周波による溶接手段で、導電性織物１００と導電性弾性ファブリックテープ２００とを一体に溶接接合し、さらに２枚の導電性織物１００の間に導電性弾性ファブリックテープ２００を置いて、超音波や高周波による溶接手段で一体に溶接接合してよい。ここで、導電性織物１００は、導電性ユニットと糸とで両者を混ぜて紡績してなり、導電性ユニットは、導電性糸または導電ワイヤであってよい。
【００２１】
本実施例でより詳細に説明すると、さらに、３Ｄ混紡糸導電性織物３００を含み、３Ｄ混紡糸導電性織物３００は、導電性糸と支持糸と紡績糸とを三者混ぜて編組され、さらに、支持糸及び編組方法によって所定厚さの構造を形成し、かつ、３Ｄ混紡糸導電性織物３００と導電性織物１００とが、導電性弾性ファブリックテープ２００を介して、三者が接続されている。
そして、導電性弾性ファブリックテープ２００を導電性織物１００と３Ｄ混紡糸導電性織物３００との間に置いて、さらに、超音波や高周波による溶接手段で一体に成形される。また、３Ｄ混紡糸導電性織物は、実際に突出形状の構造であり、プロセス工程の際に、編組方法によって突出形状に設計すればよい。
【００２２】
図３Ａ及び図３Ｂは、本考案に係る多層導電性生理検出構造の導電性弾性ファブリックテープを示す概念図及び部分拡大図である。図３Ａ及び図３Ｂに示すように、これらの導電性ユニット２０１が非直線配置になるように導電性弾性ファブリックテープ２００の一面に設けられている。また、導電性ユニット２０１は、導電性糸または導電ワイヤである。
実際使用上で、導電性弾性ファブリックテープ２００は、ファブリックテープの編織方法で形成された構造であり、或いは、導電性弾性ファブリックテープ２００の導電性ユニット２０１は、非直線で導電性弾性ファブリックテープ２００を包むようになっている。また、図６に示すように、導電性弾性ファブリックテープ２００の導電性ユニット２０１は、非直線で導電性弾性ファブリックテープ２００を上下挿通されるようになっている。
【００２３】
図３Ａ及び図３Ｂに示すように、本考案に係る多層導電性生理検出構造は、さらに、少なくとも２本の弾性糸２０２を含む。
本実施例では、２本の弾性糸２０２を用い、実際の使用上、弾性糸２０２が導電性弾性ファブリックテープ２００の両側に設けられてよい。導電性ユニット２０１と弾性糸２０２の両者が導電性弾性ファブリックテープ２００に適用されることは、図に示す実施例に限られない。ここでは、導電性弾性ファブリックテープ２００が導電性ユニット２０１と弾性糸２０２の両者を含むことについて主に説明するが、その結合手段や編織手段が実際の製品設計に応じてある程度拡張される。
弾性糸２０２は、引っ張り強度を向上することができる。導電性ユニット２０１の導電性弾性ファブリックテープ２００に対する配置は、Ｚ型配置でよく、導電性弾性ファブリックテープ２００が引っ張られると、導電性ユニット２０１は緩衝的な引っ張り効果を持つため、引っ張って切れてしまうことが避けられ、実用性が向上し、さらに、弾性糸２０２の設置によって、導電性弾性ファブリックテープ２００の弾性復元率を向上させる。
【００２４】
実際上、導電性ユニットは導電性弾性ファブリックテープに用いられ、導電性弾性ファブリックテープの弾性引っ張りにより導電性ユニットと生理信号を伝達し、人体が伸びて動くと、導電性弾性ファブリックテープが所定の弾性を保っているため、導電性ユニットによる生理検出信号の伝送が保護される。そのため、導電性ユニットは、導電性弾性ファブリックテープ内に混ぜて紡績されるだけでなく、製品の実際のニーズに応じて異なる設計を行うことができる。しかし、これらは、本実施例に限定されるものではない。
【００２５】
図４〜図５Ｂは、本考案に係る多層導電性生理検出構造の実施例の図である。図４〜図５Ｂに示すように、３Ｄ混紡糸導電性織物３００にはさらに突出部材４００が設けられている。突出部材４００は、フォーム、シリコンまたはウールなどの材質であり、超音波や高周波によって溶接する時に、３Ｄ混紡糸導電性織物３００の突出部材４００は、所定の厚さを有し、かつ本考案の多層導電性生理検出構造の表面に突出され、人体の皮膚が接する表面積を増加するとともに、導電性織物の溶接された後の材質が人体に不快適感を与えることが避けられる。
【００２６】
また、導電性織物は、利用時に、ステンレス不織布であってよい。他の実施例では、本考案の糸が、利用の観点から、化学繊維、天然繊維、あるいは化学繊維と天然繊維を混ぜて紡績されてよい。導電性ユニットと糸とを混ぜて紡績して、実際要求に応じて両者間の成分割合を調整する。
【００２７】
本考案は、以上の実施態様で開示されたが、これらは本考案を限定するものではなく、本考案の精神及び範囲から逸脱しない限り、当該技術を熟知する当業者なら誰でも、多様な変動や修正を加えることができる。従って、本考案の保護範囲は、後記する請求の範囲によって限定される。
【符号の説明】
【００２８】
１００  導電性織物
２００  導電性弾性ファブリックテープ
２０１  導電性ユニット
２０２  弾性糸
３００  ３Ｄ混紡糸導電性織物
４００  突出部材
【図１】
0003194972.tif 000003
【図２】
0003194972.tif 000004
【図３Ａ】
0003194972.tif 000005
【図３Ｂ】
0003194972.tif 000006
【図４】
0003194972.tif 000007
【図５Ａ】
0003194972.tif 000008
【図５Ｂ】
0003194972.tif 000009
【図６】
0003194972.tif 000010